(57)【特許請求の範囲】
【請求項１】
プリンタ下部とこのプリンタ下部に対して開閉自在のプリンタ上部との間に形成される用紙案内経路と、
前記用紙案内経路中に配置された印字部と、
前記印字部よりも前記用紙案内経路の上流側に位置させて前記プリンタ下部に設けられたキャプスタンローラと、
前記キャプスタンローラに対して前記用紙案内経路を介して当接するピンチローラと、
前記ピンチローラを回転自在に支持して前記用紙案内経路の一側方に位置する支点を中心として前記用紙案内経路を開放する方向に回動自在のピンチローラ保持部と、
支点を中心に互いに回動自在の二つのセンサ保持片がそれぞれ前記用紙案内経路を横切るフレームと前記ピンチローラ保持部とに前記用紙案内経路を横切る方向にスライド自在に取り付けられ、前記キャプスタンローラに前記ピンチローラが当接する状態で二つの前記センサ保持片が前記用紙案内経路を介して対向するセンサ保持部と、
二つの前記センサ保持片のうちの何れか一方を位置固定する固定手段と、
二つの前記センサ保持片のうちの一方に設けられた反射型光センサと、
二つの前記センサ保持片の両方に前記用紙案内経路を介して対向する位置に設けられた透過型光センサと、
を備えるプリンタ。
【発明の詳細な説明】
【０００１】
【発明の属する技術分野】
本発明は、ラベル用紙又はタグ用紙に対して印字を行なうプリンタに関する。
【０００２】
【従来の技術】
この種のプリンタの従来の一例を図７ないし図１２に示す。まず、開閉自在のカバー１０１を備えた本体ケース１０２が設けられ、この本体ケース１０２の内部には各種の構造物が収納保持され、本体ケース１０２の外部にはロール紙１０３が着脱自在に装着されている。ここで、ロール紙１０３としては、図８又は図９に示すような各種のラベル用紙１０３ａ，１０３ｂと図１０に示すようなタグ用紙１０３ｃとが選択的に装着される。
【０００３】
次いで、本体ケース１０２には、装着されたロール紙１０３を発行口１０４まで案内する用紙案内経路１０５が形成され、この用紙案内経路１０５には発行口１０４の近傍に印字部１０６が配置されている。印字部１０６は、ロール紙１０３の搬送機構も兼ねるプラテンローラ１０７とこのプラテンローラ１０７に用紙案内経路１０５を介して当接するラインサーマルヘッド１０８とを主体とし、プラテンローラ１０７とラインサーマルヘッド１０８との間にインクリボン１０９を案内搬送するリボン供給機構１１０が付加されて構成されている。
【０００４】
また、用紙案内経路１０５中には、印字部１０６の上流側に位置させてキャプスタンローラ１１１とピンチローラ１１２とからなる用紙搬送機構が配置され、その近傍下流側にはセンサユニット１１３が配置されている。センサユニット１１３は、図１１及び図１２に示すように、ラベル用紙１０３ａ，１０３ｂにおけるラベル１１４ａ，１１４ｂ間のギャップＧを検出する透過型光センサ１１５と、タグ用紙１０３ｃの裏面１１６に所定間隔でマーキングされたマークＭを検出する反射型光センサ１１７とが、用紙案内経路１０５を介して対向配置された一対のセンサ保持片１１８ａ，１１８ｂに埋設されて構成されている。より詳細には、センサ保持片１１８ａには透過型光センサ１１５の発光素子ＰＤと反射型光センサ１１７とがそれらを搭載するＰＣ板１１９と共に設けられ、センサ保持片１１８ｂには透過型光センサ１１５の受光素子ＰＴがそれを搭載するＰＣ板１２０と共に設けられている。このようなセンサユニット１１３は、本体ケース１０２内のフレーム１２１に回転自在に取り付けられた位置調節部材１２２のねじ部１２３に螺合しており、位置調節部材１２２の回転に伴い用紙案内経路１０５を横切る方向に移動自在である。
【０００５】
このような構造のものは、キャプスタンローラ１１１及びプラテンローラ１０７によってロール紙１０３を引き出して搬送し、その過程でラインサーマルヘッド１０８によってロール紙１０３に所定の印字を行なう。
【０００６】
ここで、ラベル用紙１０３ａ，１３０ｂにおけるラベル１１４ａ，１１４ｂ間のギャップＧを検出する透過型光センサ１１５の出力と、タグ用紙１０３ｃのマークＭを検出する反射型光センサ１１７の出力とは、印字部１０６による印字開始タイミングの決定や用紙ジャムの検出等に際して参照される。また、位置調節部材１２２を回転させてねじ部１２３に螺合するセンサユニット１１３をスライド移動させ、これによって透過型光センサ１１５及び反射型光センサ１１７の位置を調節することで、ロール紙１０３の幅に応じて異なるギャップＧやマークＭの幅方向の位置に透過型光センサ１１５及び反射型光センサ１１７の位置を対応させることが可能となる。
【０００７】
【発明が解決しようとする課題】
ロール紙１０３の交換作業や用紙ジャムが生じた場合のジャム処理作業は、カバー１０１を開いて行なうことになるが、図７に例示したような従来のプリンタでは、そのための作業がしにくいという問題がある。そこで、従来、図７に一点鎖線で示すように印字部１０６をユニット化して回動自在に取り付け、印字部１０６全体を開閉することで用紙案内経路１０５を広く開放することができるようにすることも行なわれている。しかし、その場合にもキャプスタンローラ１１１とピンチローラ１１２との間の部分及びセンサユニット１１３の部分において用紙案内経路１０５が開放されないため、ロール紙１０３の交換作業等がしにくい。
【０００８】
また、透過型光センサ１１５及び反射型光センサ１１７の位置を調節するに際しては位置調節部材１２２を回転させなければならないが、その作業は煩雑であり、作業性が悪いという問題がある。
【０００９】
本発明の目的は、用紙の交換作業や用紙ジャム処理作業の容易化を図ることである。
【００１０】
【課題を解決するための手段】
本発明のプリンタは、プリンタ下部とこのプリンタ下部に対して開閉自在のプリンタ上部との間に形成される用紙案内経路と、用紙案内経路中に配置された印字部と、印字部よりも用紙案内経路の上流側に位置させてプリンタ下部に設けられたキャプスタンローラと、キャプスタンローラに対して用紙案内経路を介して当接するピンチローラと、ピンチローラを回転自在に支持して用紙案内経路の一側方に位置する支点を中心として用紙案内経路を開放する方向に回動自在のピンチローラ保持部と、支点を中心に互いに回動自在の二つのセンサ保持片がそれぞれ用紙案内経路を横切るフレームとピンチローラ保持部とに用紙案内経路を横切る方向にスライド自在に取り付けられ、キャプスタンローラにピンチローラが当接する状態で二つのセンサ保持片が用紙案内経路を介して対向するセンサ保持部と、二つのセンサ保持片のうちの何れか一方を位置固定する固定手段と、二つのセンサ保持片のうちの一方に設けられた反射型光センサと、二つのセンサ保持片の両方に用紙案内経路を介して対向する位置に設けられた透過型光センサとを備える。
【００１１】
したがって、ピンチローラ保持部を回動させると、ピンチローラ及び一方のセンサ保持片が回動し、用紙案内経路が開放される。また、固定手段による一方のセンサ保持片の固定を解除することで、二つのセンサ保持片は用紙案内経路を横切る方向に移動自在となるため、センサ保持片に設けられた反射型光センサ及び透過型光センサの位置調節が可能となる。
【００１２】
【発明の実施の形態】
本発明の実施の一形態を図１ないし図６に基づいて説明する。図７ないし図１２に基づいて説明した部分と同一部分は同一符号で示し、説明も省略する。したがって、図７ないし図１２も、適宜参照しながら説明する。
【００１３】
図１はプリンタ全体の斜視図、図２はプリンタ上部を開いた状態を示す縦断正面図、図３はその斜視図である。本実施の形態のプリンタでは、本体ケース１０２及び本体ケース１０２に設けられたプラテンローラ１０７及びキャプスタンローラ１１１等はプリンタ下部１を構成し、カバー１０１及び印字部１０６等はプリンタ上部２を構成する。そして、印字部１０６は、図７中に一点鎖線で示すようにヘッドブラケットとしてユニット化され、カバー１０１のヒンジ３の近傍に位置する支点４を中心として開閉自在である（図２参照）。これにより、印字部１０６の部分で用紙案内経路１０５を開放することが可能となる（図３参照）。
【００１４】
ここで、図３に示す状態では、キャプスタンローラ１１１とピンチローラ１１２との間の部分及びセンサユニット１１３の部分において用紙案内経路１０５が開放されていないが、本実施の形態のプリンタはこの部分においても用紙案内経路１０５を開放することができるように構成されている。以下、そのための構造を図４ないし図６を主体として説明する。図４はピンチローラ１１２を保持するピンチローラ保持部５と各光センサ１１５，１１７を保持するセンサ保持部６との正面図、図５は図４に示す位置からセンサ保持部６がスライド移動した状態を示す正面図、図６はピンチローラ１１２を保持するピンチローラ保持部５と各光センサ１１５，１１７を保持するセンサ保持部６との平面図である。
【００１５】
まず、ピンチローラ１１２を回転自在に保持するピンチローラ保持部５が設けられ、このピンチローラ保持部５は、印字部１０６の支点４が設けられている側の用紙案内経路１０５の一側方に位置する支点７を中心として回動自在にプリンタ下部１に取り付けられている。したがって、ピンチローラ保持部５をその支点７を中心に上方に回動させることで、ピンチローラ１１２はキャプスタンローラ１１１から離反して用紙案内経路１０５が開放されるように構成されている。また、ピンチローラ保持部５には印字部１０６の一部に吸着するマグネット８が取り付けられ、上方に回動したピンチローラ保持部５を印字部１０６に吸着するマグネット８によってその位置に保持し、用紙案内経路１０５を開放状態に維持できるようにされている。
【００１６】
次いで、センサユニット１１３は、支点９を中心に回動自在に連結された二つのセンサ保持片１０からなるセンサ保持部６に透過型光センサ１１５と反射型光センサ１１７とが埋設されて構成されている。そして、一方のセンサ保持片１０ａはプリンタ下部１において用紙案内経路１０５を横切る方向に設けられたフレームとしてのセンサシャフト１１にスライド自在に取り付けられ、もう一方のセンサ保持片１０ｂはピンチローラ保持部５の側面に固定されたガイド板１２にスライド自在に取り付けられている。したがって、センサユニット１１３の全体が用紙案内経路１０５の幅方向に移動自在となっている。なお、一方のセンサ保持片１０ａには透過型光センサ１１５の発光素子ＰＤ及び反射型光センサ１１７が取り付けられ、もう一方のセンサ保持片１０ｂには透過型光センサ１１５の受光素子ＰＴが取り付けられている。
【００１７】
ここで、一方のセンサ保持片１０ａには固定手段としての板ばね１３及び摩擦板１４が取り付けられ、板ばね１３の付勢力によって摩擦板１４がセンサシャフト１１に圧接することによってセンサ保持部６の位置固定がなされている。そして、板ばね１３の端部は把手１５となっており、この把手１５を操作者が指等で押し下げることによって摩擦板１４がセンサシャフト１１から離間し、センサ保持部６の用紙案内経路１０５の幅方向への移動が許容されるように構成されている。
【００１８】
もう一方のセンサ保持片１０ｂは、側方に延出するスライド軸１６を備え、このスライド軸１６がガイド板１２に形成された長孔１７に差し込まれ、これによってセンサ保持片１０ｂがガイド板１２にスライド自在に取り付けられている。そして、スライド軸１６の端部とガイド板１２との間にはスライド軸１６が貫通するコイルばね１８が圧縮状態で取り付けられ、このコイルばね１８の復元力によりスライド軸１６が長孔１７内をスライドする際のがたつきの防止が図られている。
【００１９】
さらに、センサユニット１１３では、印字部１０６が用紙案内経路１０５に対して閉じられた場合に印字部１０６が備える押圧部１９によってセンサ保持片１０ｂが押圧され、そのがたつきが生じないように構成されている。
【００２０】
このような構成において、ロール紙１０３（本実施の形態ではラベル用紙１０３ａが装着されている）を装着したりそのジャム処理作業を行なったりするには、カバー１０１を開き、ヘッドブラケットとしてユニット化されている印字部１０６を回動させて用紙案内経路１０５を開放する。すると、マグネット８によって印字部１０６に吸着固定されているピンチローラ保持部５及びこのピンチローラ保持部５にガイド板１２を介して取り付けられているセンサ保持片１０ｂも回動し、キャプスタンローラ１１１とピンチローラ１１２との間の部分及びセンサユニット１１３の部分においても用紙案内経路１０５が開放される。この際、センサ保持片１０ｂでは、そのスライド軸１６がガイド板１２の長孔１７内をスライドしながら移動するため、ピンチローラ保持部５の支点７とセンサ保持部６の支点９とが同一軸状に位置しなくても、センサ保持片１０ｂは支障なく回動する。これにより、用紙案内経路１０５が完全に開放され、ロール紙１０３の装着作業やそのジャム処理作業等がしやすくなる。
【００２１】
また、用いるロール紙１０３の種類によっては、ギャップＧの位置（ラベル用紙の場合）やマークＭの位置（タグ用紙の場合）が用紙幅方向に異なる。そこで、ギャップＧやマークＭの用紙幅方向位置に対応させて各光センサ１１５，１１７の位置を調節する必要がある。このような場合、本実施の形態では、把持部１５を押し下げてセンサシャフト１１から摩擦板１４を離間させる。これにより、センサ保持部６の全体を自由にスライドさせることができるようになり、各光センサ１１５，１１７の位置を調節することが容易となる。
【００２２】
【発明の効果】
本発明は、キャプスタンローラに用紙案内経路を介して当接するピンチローラと、用紙案内経路を介して対向する透過型光センサ及び反射型光センサ保持用の一対のセンサ保持片のうちの一方とを同時に回動開閉自在として用紙案内経路を開放することができるようにしたので、用紙交換作業及び用紙ジャム処理作業の容易化を図ることができる。また、センサ保持片の一方を用紙案内経路を横切るフレームにスライド自在に取り付け、センサ保持片のもう一方をピンチローラを保持するピンチローラ保持部にスライド自在に取り付け、何れか一方のセンサ保持片を位置固定することができるようにしたので、センサ保持片の位置固定を解除して二つのセンサ保持片をスライド移動させるだけで反射型光センサ及び透過型光センサの位置調節が可能になり、各光センサの位置調節作業の容易化を図ることができる。
【図面の簡単な説明】
【図１】本発明の実施の一形態を示すプリンタ全体の斜視図である。
【図２】プリンタ上部を開いた状態を示す縦断正面図である。
【図３】その斜視図である。
【図４】ピンチローラを保持するピンチローラ保持部と光センサを保持するセンサ保持部との正面図である。
【図５】図４に示す位置からセンサ保持部がスライド移動した状態を示す正面図である。
【図６】ピンチローラを保持するピンチローラ保持部と光センサを保持するセンサ保持部との平面図である。
【図７】従来のプリンタの一例を示す縦断側面図である。
【図８】ラベル用紙の一例を示す平面図である。
【図９】ラベル用紙の別の一例を示す平面図である。
【図１０】タグ用紙の一例を示す裏面図である。
【図１１】用紙案内経路に配置された反射型光センサ及び透過型光センサを示す縦断正面図である。
【図１２】用紙案内経路に配置された反射型光センサ及び透過型光センサの保持構造を示す正面図である。
【符号の説明】
１        プリンタ下部
２        プリンタ上部
７        支点
５        ピンチローラ保持部
６        センサ保持部
９        支点
１０ａ，１０ｂ    センサ保持片
１１              フレーム
１３，１４        固定手段
１０５            用紙案内経路
１０６            印字部
１１１            キャプスタンローラ
１１２            ピンチローラ
１１５            透過型光センサ
１１７            反射型光センサ
【図１】
0003891370.tif 000002
【図２】
0003891370.tif 000003
【図３】
0003891370.tif 000004
【図４】
0003891370.tif 000005
【図５】
0003891370.tif 000006
【図６】
0003891370.tif 000007
【図７】
0003891370.tif 000008
【図８】
0003891370.tif 000009
【図９】
0003891370.tif 000010
【図１０】
0003891370.tif 000011
【図１１】
0003891370.tif 000012
【図１２】
0003891370.tif 000013